(57)【特許請求の範囲】
【請求項１】
マトリックス配列として配置されたセルをアドレスする方法であって、各セルはライン及びカラムの交点に位置し、前記マトリクス配列は、ライン入力及びカラム入力を有しデジタルビデオ信号を形成するビデオワードにより決定されたグレーレベルを表示し、前記カラム入力の各々は、前記マトリクス配列の各ラインに対するカラムの１つの制御ワードを受信し、各制御ワードはカラムに対してアドレスされたラインのビデオワードに対応し、各制御ワードは順次転送されるｎビットにより形成され、該ｎビットの少なくとも１つは２の冪乗とは異なる重みを表し、該ｎビットの重みの総和は表示される最大のグレーレベルに等しく、
前記制御ワードにおけるビットの重みに比例する時間にわたって、前記アドレスされたライン及び対応するカラムのセルを選択することが、各ビットの状態に応じてトリガーされ又はトリガーされず、当該方法は、第１のラインから少なくとも１つの第２のラインへコピーするために第１の制御ワードのｎビット中の少なくとも１つを選択し、該少なくとも１つの選択されたビットについて前記第１のライン及び前記少なくとも１つの第２のラインを同時にアドレスし、前記第１の制御ワードはカラムに対してアドレスされた前記第１のラインのビデオワードに対応し、
前記第１の制御ワード及び前記少なくとも１つの第２の制御ワードは、前記少なくとも１つの選択されたビットが、前記第１の制御ワード及び前記少なくとも１つの第２の制御ワードに対して同じ状態をとるようにコード変換され、前記少なくとも１つの第２の制御ワードはカラムに対して選択された前記少なくとも１つの第２のラインの少なくとも１つのビデオワードに対応する、方法。
【請求項２】
前記選択されたビットは、前記第１の制御ワード及び前記少なくとも１つの第２の制御ワードの下位２ビットであり、同時にアドレスされたラインは２つの連続するラインである、請求項１記載の方法。
【請求項３】
最上位ビット（MSB）を、該最上位ビットの重みの半分に等しい重みのビット２つに置き換える方法で、前記デジタルビデオ信号を形成するビデオワードをコード変換することで、前記制御ワードが得られる、請求項２記載の方法。
【請求項４】
前記セルはプラズマパネルのセルであり、前記セルの選択はセルの発光状態も指定する、請求項１乃至３のうちいずれか１項に記載の方法。
【請求項５】
前記セルはマイクロミラー回路のマイクロミラーである、請求項１乃至３のうちいずれか１項に記載の方法。
【請求項６】
受信したビデオデータを処理するビデオ処理回路と、ビデオデータをコード変換するための対応メモリと、コード変換されたデータを記憶するビデオメモリとを有し、該ビデオメモリはカラムドライバ回路に連結され、該カラムドライバ回路は、カラム制御ワード及びラインドライバ用の制御回路に基づいてプラズマパネルのカラムアドレスを制御し、前記ラインドライバ用の制御回路は、ラインの１つに関するカラム制御ワードのビットの前記少なくとも１つの選択されたビットが前記カラムドライバ回路により転送される間に、少なくとも２つの連続するラインを同時に選択する、請求項４記載の方法を実行する装置。
【発明の詳細な説明】
【０００１】
【発明の属する技術分野】
本発明はプラズマパネル用のアドレス処理に関する。
【０００２】
【従来の技術】
プラズマ表示器ではグレーレベルは信号の振幅変調を用いる従来の方法で発生されるのではなく、所望のレベルに依存してより長い又はより短い時間対応する画素を励起することにより発生される。このグレーレベルは目による積分現象により可能となる。この積分はフレームスキャン時間中に実施される。
【０００３】
人間の目は実際フレーム時間よりずっと早く積分し、故にアドレッシングビットの特定の遷移の場合に現実を反映していないレベルの変動を知覚しがちである。輪郭欠陥又は「コンターリング」として知られてるものが動いている画像に現れる。これらの欠陥はグレーレベルの時間的回復の悪さと比較される。より一般的には対象の輪郭上に偽の輪郭が現れ、カラー成分のセルのそれぞれがこの現象を被る可能性がある。この現象は比較的均一な部分で生ずるときにより有害である。
【０００４】
【発明が解決しようとする課題】
本発明の目的は上記欠点を克服することにある。
【０００５】
【課題を解決するための手段】
開示される発明の一形態による方法は、
マトリックス配列として配置されたセルをアドレスする方法であって、各セルはライン及びカラムの交点に位置し、前記マトリクス配列は、ライン入力及びカラム入力を有しデジタルビデオ信号を形成するビデオワードにより決定されたグレーレベルを表示し、前記カラム入力の各々は、前記マトリクス配列の各ラインに対するカラムの１つの制御ワードを受信し、各制御ワードは各自のカラムに対してアドレスされたラインのビデオワードに対応し、各制御ワードは順次転送されるｎビットにより形成され、該ｎビットの少なくとも１つは２の冪乗とは異なる重みを表し、該ｎビットの重みの総和は表示される最大のグレーレベルに等しく、
前記制御ワードにおけるビットの重みに比例する時間にわたって、前記アドレスされたライン及び対応するカラムのセルを選択することが、各ビットの状態に応じてトリガーされ又はトリガーされず、当該方法は、第１のラインから少なくとも１つの第２のラインへコピーするために第１の制御ワードのｎビット中の少なくとも１つを選択し、該少なくとも１つの選択されたビットについて前記第１のライン及び前記少なくとも１つの第２のラインを同時にアドレスし、前記第１の制御ワードは、カラムに対してアドレスされた前記第１のラインのビデオワードに対応し、
前記第１の制御ワード及び前記少なくとも１つの第２の制御ワードは、前記少なくとも１つの選択されたビットが、前記第１の制御ワード及び前記少なくとも１つの第２の制御ワードに対して同じ状態をとるようにコード変換され、前記少なくとも１つの第２の制御ワードは、カラムに対して選択された前記少なくとも１つの第２のラインの少なくとも１つのビデオワードに対応する、方法である。
【０００６】
本発明の特定の実施例はビデオ制御ワードの重みの少なくとも一つが２の羃乗と異なるようにデジタルビデオ信号をカラム制御ワードにコード変換し、このワードはビデオ信号のワードが異なるカラム制御ワードに対応し、これらの制御ワードは次に少なくとも２つのラインが同時にアドレスされるようなビットの同一性の関数として選択されるようにビデオ信号のワードの最大値と等しい最大値を維持することを特徴とする。
【０００７】
本発明はまた受信されたビデオデータを処理するビデオ処理回路と、これらのデータをコード変換する対応メモリと、コード変換されたデータを記憶するビデオメモリとからなり、該ビデオメモリはカラム制御ワード、ラインドライバ用の制御回路に基づいてプラズマパネルのカラムアドレスを制御するためにカラムドライバ回路に連結される本発明の方法を実施する装置であって、ラインドライバ用の制御回路はこれらのラインの一つに関するカラム制御ワードのビットの少なくとも一つがカラムドライバにより転送される間に少なくとも２つの連続するラインを同時に選択することを特徴とする装置を提供する。
【０００８】
【発明の実施の形態】
本発明の他の特徴及び利点は非限定的な例により与えられ、図面と共にされる以下の説明により明確となる。
プラズマ表示パネルは約百ミクロン離れた２つのガラス窓からなる。この空間はネオンとキセノンを含むガス状の混合物で満たされる。ガスが電気的に励起されると核の周りを回る電子は引き出され、自由になる。「プラズマ」という用語はこの励起された状態のガスを示す。電極は一の窓に対してライン電極を、他の窓に対してカラム電極を、パネルの２つの窓の各々にシルクスクリーンでプリントされる。ライン及びカラム電極の数は表示パネルの解像力に対応する。製造プロセス中に障壁システムがパネルのセルを限定し、一の色が他へ拡散する現象を物理的に制限することを可能にするよう配置される。カラム電極とライン電極との各交差はガスを含むビデオセルに対応する。セルはその上を覆う堆積された発光体に依存して赤色、緑色、又は青色と称される。ビデオ画素はセルの３つの組（一つは赤色、一つは緑色、一つは青色）からなり、故にカラム電極はラインの画素の３倍である。他方でライン電極の数はパネル内のラインの数と等しい。この与えられたマトリックスアーキテクチャーで電位差は特定のセルを励起し、点毎にプラズマ状態のガスを得るためにライン電極とカラム電極との交差に印加される必要があるだけである。ガスを励起したときに発生されたＵＶは赤色、緑色、又は青色の発光体を照射し、斯くしてセルを赤、緑、又は青に発光させる。
【０００９】
プラズマパネルのラインは以下に説明するように画素に伝送されるグレーレベルで副スキャンとして決定される回数と同じ回数アドレスされる。画素はドライバにより選択された画素に対応するラインの全体に対して書込パルスと称される電圧を伝送することにより選択され、一方で選択された画素のグレー関連値に対応する情報は画素の存在するカラムのすべての電極に並列して伝送される。すべてのカラムは同時に供給され、それらの各々はこのカラムの画素に対応する値を有する。
【００１０】
グレーレベル情報の各ビットはビット発光時間又はより広くは２つの書込の間の時間に対応する時間情報に関連する：オーダー４のビットに対する１の値はオーダー１のビットに対応する発光より４倍大きな時間発光される画素に関する。この保持時間は書込キューを抹消のキューから分離する時間により決定され、アドレッシングの後にセルの励起を維持することを特に可能にする保持電圧に対応する。ｎビットにコード化されたグレーレベルに対して（成分Ｒ，Ｇ，Ｂのそれぞれに対するグレーレベルが含まれる）、パネルはこのレベルを再転写（ｒｅｔｒａｎｓｃｒｉｂｅ）するためにｎ回スキャンされ、これらの副スキャンのそれぞれの時間はそれが表すビットに比例する。積分により目はｎビットに対応するこの「全体的な」時間を発光レベルの値に変換する。２進ワードのビットのそれぞれの順次のスキャンは故に重みに比例する時間印加することにより達成される。一ビットに対する画素のアドレス時間はこのビットの重みによらず同一であり、変わるのはこのビットに対する発光保持時間である。
【００１１】
一般にセルは励起された又は励起されない２つの状態のみを有する。故にＣＲＴとは異なり放射される光レベルのアナログ変調は実施され得ない。種々のグレーレベルを考慮し、フレーム期間（Ｔで示される）内のセルの放射の時間の時間的変調をなす必要がある。このフレーム期間はビデオをコーディングするために存在するビット（ｎで示されるビット数）と同じ副期間（副スキャン）に分割される。これらのｎ副期間に基づく組合せにより０から２５５の間のすべてのグレーレベルを再構成することが可能である。観察者の目はこれらｎ個の副期間をフレーム期間にわたり積分し、故に所望のグレーレベルが再構成される。
【００１２】
パネルはＮｌラインドライバ及びＮｃカラムドライバにより供給されるＮｌラインとＮｃカラムからなる。時間的変調によるグレーレベルの発生はパネルが各ラインの各画素に対してｎ回アドレスされることが必要である。パネルのマトリックス特性はレベルＶｃｃｙの電気パルスをラインドライバに送ることによりすべてのラインの画素に同時にアドレスすることを可能にする。カラムに転送された信号はカラム制御ワードと称され、表示されるビデオ信号に関連し、この関係は例えば用いられたビットの数に依存するコード変換である。この時点でアドレスされたカラム制御ワードのビットに対応するビデオ情報（副スキャンに対応する）はカラムのそれぞれに現れ、それは「２進」振幅０又はＶｃｃｘの電気的パルスとして示される（コード化されたビットの状態を示す）。各電極の交点での２つの電圧Ｖｃｃｘ，Ｖｃｃｙの結合はセルを励起へ導くか、又は導かない。この励起状態は達成された副スキャンの重みに比例する時間にわたり維持される。この動作はすべてのライン（Ｎｌ）及びすべてのアドレスされたビット（ｎ）に対して繰り返される。故にそれはフレームの時間にわたりｎ  ｘ  Ｎｌラインをアドレスするために必要であり、斯くして以下の基本的な関係が与えられる：
Ｔ≧ｎ・Ｎ1 ・ｔad
ここでｔadはラインにアドレスするために必要な時間である。
【００１３】
シーケンス化アルゴリズムはすべてのラインをｎ回アドレスすることを可能にし、一方で各アドレッシングの間になされた副スキャンのそれぞれの重みに従う。
図１を参照して、コンターリング現象をより良く説明する。
この図で横軸は時間を表し、時間間隔Ｔのフレーム期間に分割される。各フレーム期間はその持続時間が種々の副スキャンの重みに比例する時間の副期間に分割され、斯くしてプラズマ表示器に表示されるビデオレベル、８ビットで量子化されるビデオ及び８つの副スキャンを有するアドレッシングに対して（１，２，３，８．．．，１２８）を決定することを可能にする。
【００１４】
縦軸は対応するフレーム期間中にアドレッシングビットの０又は１レベルを表し、又は与えられたコーディングレベルに対して時間の関数としてセルの発光しない又は発光した状態を示す。
曲線１は値１２８のコーディングに対応し、曲線２は値１２７のコーディングに対応し、曲線３は第一のフレーム中の値１２８のコーディング及び第二のフレーム中の値１２７のコーディングに対応し、次の２つのフレームはその逆である。
【００１５】
グレーレベルの時間変調の原理はビデオをフレームの２０ｍｓにわたり再転写するｎ個の副スキャンの時間的な分配を含む。８つの副スキャンにアドレスする（ｎ＝８）よう適合される場合には１２７／１２８及び１２８／１２７の遷移はすべてのビットにわたるスイッチングを必要とする。８つの副スキャンがフレームの２０ｍｓにわたり分配される故にビデオに非同期で積分することにより、目には２つの連続するフレームの間に０のレベルに対応する曲線３の部分ｂを黒い領域に、２つの連続するフレームの間に１のレベルに対応する曲線３の部分ａを白い領域に感じる。
【００１６】
コンターリング現象は強い遷移（対象の輪郭）が存在する、又はより一般にはこのビデオのコーディングで高い重みのレベルで切換が存在する動く領域に特に出現する。カラー表示器の場合にはこれはＲ，Ｇ，Ｂ三原色の誤った転写による「偽の色」がこれらの輪郭の領域でパネルに現れることにより明らかである。この現象はビデオのレベルの時間変調に対するシステム及び積分器としての役割において目が正しくない輪郭を知覚したという事実と関連する。
【００１７】
この問題の解決策はグレーレベルを理論的に必要（２５６レベルをコードするために８）であるよりも多いビットに変換し、斯くして情報のよりよい時間的な分配を達成するためにより多くの副スキャンを決めることにある。これは副スキャンのそれぞれの重みが減少され、その切換中の問題が限定されるよう副スキャンの数を増加することによるものである。現在に於いてパネルの与えられた特性（ライン数Ｎｌ）及びラインにアドレスするために必要な時間（ｔａｄ）により２０ｍｓに１０の副スキャン（ｎ＝１０）をなすことが可能である。グレーレベルのコード変換は例えば：
１  ２  ４  ８  １６  ３２  ３２  ３２  ６４  ６４
である。
【００１８】
故に最大の重みは１２８の代わりに６４である。
以下に説明する本発明による方法はコードの時間的な分配をより効率的にするために「自由な」副スキャンを可能にする。この方法は問題のビットに関してライン２ｎと２ｎ＋１との間に共通にアドレスすることによりライン２ｎからライン２ｎ＋１上にビットをコピーすることからなる。あるいはライン２ｎ及び２ｎ＋１に対して問題のビットに対して同じアドレッシング時間を用い、２つの対応するセルをこのビットの値に依存して励起し、又は励起しないことからなる。
【００１９】
関係（１）を参照して、そのようなアドレッシングを実施することにより、即ちＮｌを減少することによりｎの値を増加することが可能になることがわかる。ｔａｄの項はハードウエアに関連する拘束条件である。
例を以下に示す：
５１２ラインを有し、各ラインに対して１０アドレッシングを有するパネルでは５１２０アドレッシングが１フレーム中に実行されなければならない。
【００２０】
ライン２ｎ、２ｎ＋１が特定のビットに関して共通にアドレスされる場合には：
５１２ｘ９＋（５１２／２）＝４８６４アドレッシング、即ち２５６少ないアドレッシングでよい。
この操作が第二のビットをコピーする間に第二の時間で繰り返される場合には：
５１２ｘ８＋（５１２／２）＝４６０８アドレッシング、即ち５１２少ないアドレッシングでよい。
【００２１】
故にこれはすべてのラインに対して特別なアドレッシングを加える可能性を許容する。
ライン２ｎからライン２ｎ＋１へ２ビットをコピーすることにより各ラインに１０ではなく１１のアドレッシングをなすことが可能である。外挿により２＊ｉビットをコピーすることはライン当たりｉ個のアドレッシングの節約となる。
【００２２】
１ラインから他へ１ビットコピーする原理はどのビットでもそのようになしうる。しかしながら１ビットコピーすることは統計的に見て５０％の場合に誤りを導く低い重みのビットでそれをなすことがより実際的である（ライン２ｎのビデオとライン２ｎ＋１のそれとの間に存在する相関が考慮される場合にはより少ない）。重みがより低いと引き起こされる誤りはより少ない。
【００２３】
応用例を以下に示す：
再び上記のコードを用いる：１  ２  ４  ８  １６  ３２  ３２  ３２  ６４
６４
４つの下位ビット（１  ２  ４  ８）をコピーする場合には２つの特別なビットから利益を得る。これらのビットは以下のコードを用いてＭＳＢの重みを減少するよう用いられる：
１（２ｎ＝２ｎ＋１）  ２（２ｎ＝２ｎ＋１）  ４（２ｎ＝２ｎ＋１）  ８（２ｎ＝２ｎ＋１）  １６  ３２  ３２  ３２  ３２  ３２  ３２  ３２
故に６４の重みを２で割ることが可能であり、故に３２又はそれ以下の重みのみを得る。コンターリング現象は高い重みにわたるスイッチング中に発生する故にそれはこのようにして大幅に減少可能である。
【００２４】
上記の技術はビットをコピーするときにシステム的な誤差を導く。この技術を以下に説明するコード交代アドレッシングと組み合わせることによりこれらの誤差を最小化することが可能である。コンターリング及び輝度過剰問題はこの組合せを用いることにより同時により少なくすることが可能である。
輝度過剰現象の源をまず考察する。
【００２５】
パネルのセルはラインを完成するようアドレスされ、書込パルスはラインドライバによりライン電極に送られる。その部分に対してビデオ情報はカラムドライバに送られる。与えられた時点でラインドライバは励起を維持するためにラインで励起された画素と同じ特別な電流を供給しなければならない。ドライバが完全でない故にその電流応答は要求される負荷の関数として一定ではない。
【００２６】
図２は励起されたセルの数の関数としてドライバにより再生されたグレーレベルの形を表わし、この回路の負荷の関数としてラインドライバの電流応答に関連する。横軸ｘはラインのセルの全数に関連するラインの励起されたセル数を表し、横軸ｙは０に近いドライバの負荷に対して再生されたセルに関連するドライバにより再生されたグレーレベルの値を示す。曲線１を調べることによりセルの１０％の励起に対してドライバは７５％応答し、一方でセルの８０％の励起に対して３２％のみ応答することがわかる。
【００２７】
輝度過剰現象は負荷の時間的な分布が均一でないときに現れる。例えば８つの副スキャンに対して一フレーム期間で最初の１０ミリ秒が低いオーダーの副スキャンをアドレスするために用いられ、他の１０ミリ秒が高いオーダーの副スキャンに対して用いられ、問題のラインが１２７のコーディングレベルを受けるセルの１０％及び１２８のレベルの８０％を含む場合に１２７のレベルはその値の７５％に対して再生され、１２８のレベルは３２％のみ再生される。全体的に１２７のレベルでセルの１０％は１２８のレベルでのセルの８０％より明るく見え、故に輝度過剰が生ずる。
【００２８】
交代コードアドレッシングの原理を以下に説明する。
この基本的な理念はビデオをコーディングするのに必要なビット数（２５６レベルをコードするために８ビット）よりも多くのビット数（例えば１０ビット）をデジタルビデオ信号の２５６レベルをコード化するために２進表記法に基づくのではなく特別な表記法で用いる。これは２の羃乗のコードではコード化されるべき与えられた値に対してビットの単一の組合せのみしか得られないからである。これに対して連続する重みが公比２のこの等比数列に従わないコードを選択することが可能であり、これは１つの同じ値のコーディングに対して幾つかの組合せを許容する。
【００２９】
２の羃乗以外の重みを２進コーディングワードのビットに割り当てるコードの例は以下の値の列からなる：
１  ２  ４  ８  １４  ２４  ３３  ４１  ５６  ７２、
これらのすべての重み（２進コーディングワードの１から１０の値を配置することに対応する）の和はなお２５５である。
【００３０】
このコードに対して、例えば値１００は異なる仕方で記載されうる：
0004785214.tif 000002
これは同じ値に対して７つの異なるコードを与える。これら１０の副スキャンのアドレッシングはフレームの２０ｍｓにわたって広がる故に選択されたコードに依存して種々のコード間で公平に負荷を分配し、グレーレベルの１つの同じ値に対する同じラインの１から他の画素へコードを変化することを可能にする。
【００３１】
本発明の応用の目的であるビット反復アドレッシング処理は情報がライン２ｎからライン２ｎ＋１にコピーされる場合にＭＳＢの重みを分配するために特別なビットから利益を得ることを可能にする。特別なビットを必要とする交代コードアドレッシング処理は与えられたビデオ値に対する幾つかのコーディング可能性を提供する。
【００３２】
２つの処理の組合せはそれらのそれぞれの効率を改善可能であり、上記の欠点を非常に大幅に少なくする。斯くしてビットはシステム的にではなく、ビデオの内容の関数としてライン２ｎと２ｎ＋１との間でコピー可能である。コピーされたビットはこのコピーにより導入された誤りが最小になるような方法で選択される。
【００３３】
第一の例は以下のようになる。
最初に結果から始めると、即ち、ビデオをコードするために１２ビットが存在する。これらの１２ビットはライン２ｎと２ｎ＋１との間に共通の４ビットが存在しなければならないことを意味する。以下の１２ビットコードを考える：
１  ２  ４  ６  １０  １４  １８  ２４  ３２  ４０  ４８  ５６
これらの１２ビットから、４ビットがライン２ｎと２ｎ＋１に共通であるように、即ち、例えば：２４  １４  ６  ２のように選択される。
【００３４】
交代コードアドレッシングの原理は４つの選択されたビットに対して同じ状態を得るような方法でライン２ｎと２ｎ＋１をコーディングすることにある。
値３４がライン２ｎにコードされ、値５４がライン２ｎ＋１にコードされると仮定する。重み２４、１４、６、２を有する共通ビットの値は括弧内に与えられる。
【００３５】
0004785214.tif 000003
４つの共通ビットが同一である種々のコーディング可能性は以下のようになる：
（32＋２）（0001）及び          （48＋４＋２）（0001）
又は（18＋10＋４＋２）（0001）及び  （48＋４＋２）（0001）
又は（18＋10＋６）（0010）及び      （48＋６）（0010）
故にこの場合には適切な、即ち交代コードアドレッシングが誤差を導かないコードの対（ここでは３対）を探すことが可能である。
【００３６】
第二の例は値３４がライン２ｎに値３２がライン２ｎ＋１にコーディングされ、これを以下に示す。
種々のコーディング可能性は：
0004785214.tif 000004
のようになる。
【００３７】
４つの共通ビットが同一になるコーディング可能性がないときに可能な組合せに最も近いコードの対を見つけることを目的とする。この場合は３３（００００）と３２（００００）の対が適合し、即ち１ＬＳＢの誤差がある。誤差はもはやシステム的ではなく、コピーされたビット数に比例する大きさであるが、２つのビデオレベルに依存し、２つの項の間の不一致が大きいほどそれは大きくなる。
【００３８】
この例で統計的に誤差なしで９０％以上の対がコード化されうる。残りの１０％に対してビデオのそれぞれのレベルの関数として誤差を最小化することが目的となる。
幾つかのコーディング可能性が存在するときに好ましい解決策は最大の１ビット（ｍｏｓｔ  １  ｂｉｔ）を有するワード又はワードの対を選択し、これらのワードから高次（ｈｉｇｈ−ｏｒｄｅｒ）の１ビットが最小の重みを有し、一方で等しい場合にはより低い（次の）高次のビットを考えることにある。
【００３９】
この選択のおかげで：
−ドライバの負荷はビットの最大の数にわたり分配され、故に輝度過剰効果を減少する。
−ビットの高い重みへの切換は最小化され、故にコンターリング効果は減少する。
【００４０】
装置のハードウエア構成はまたラインドライバの負荷を分配するときにコーディング可能性からランダムに選択することに基づくのと比較してより簡単になる。
一のラインに対して値３４を、次のラインに対して値５４をコーディングすることに関する上記の例で、その対は：
１８＋１０＋４＋２  及び  ４８＋４＋２
が３つのコーディング可能性から選択される。
【００４１】
図３はプラズマパネル６の制御回路の概略を表す。
デジタルビデオ情報はビデオ処理回路７の入力であるデバイスの入力Ｅに入来する。この回路は対応するメモリ８及び記憶された情報をカラムドライバと共に群をなす回路１０の入力に転送するビデオメモリ９の入力に接続される。
スキャン発生器１１は同期情報をビデオメモリ９に転送し、ラインドライバと共に群をなす回路１２を制御する。
【００４２】
８ビットでコードされ、デバイスの入力Ｅで受容されたビデオ情報はプロセッサで処理される。後者はこれらのデータをメモリ又は対応するテーブル８で交換し、これはアドレスとして送られたビデオワードの値に依存してデータとして重みが前もって決定されている１０ビットでコード化されたワードを出力する。これらのワードはビデオメモリ９に転送され、これはラインスキャンと同期してカラムドライバにカラム制御ワードの連続するビットを出力するためにそれらを記憶する。
【００４３】
スキャン発生器１１はフレームの時間に対してラインドライバ１２により表示のラインスキャンを、ライン毎の１０の副スキャンで実施し、各副スキャンはカラム制御ワードの１ビットに対応する。回路１２はアドレッシング電圧を供給し、またこのアドレッシングに関してカラムに送られたビットの重みに関する副スキャンの対応する時間に対して電圧を保持する。例えばライン２ｎの一以上の所定の副スキャン中にスキャン発生器１１は同時にライン２ｎと２ｎ＋１を制御又は選択する。対応するテーブル８に基づいたコード変換は副スキャンを考慮に入れる、即ちラインが共に群となるカラム制御ワードのビットにより決定される。動作のより大きな柔軟性はマイクロプロセッサ７に制御回路１１を連結することにより得られ、これはラインスキャン制御をなされたコード変換の関数としてこのように管理する。
【００４４】
無論上記のことは表示のカラム入力でのビデオ情報の転送に対してプラズマパネルのライン選択を仮定しているが、アドレッシングの他の型も例えば本発明の範囲から離れた処理をすることなくラインとカラムの機能を逆転することによるようになされうる。
本発明は表示されるべきデジタルビデオ信号を量子化するビット数又は副スキャンの数により制限されないことは明らかである。
【００４５】
それは３つの成分Ｒ，Ｇ，Ｂのそれぞれに対応する輝度又はグレーレベルの表示に対する時間的な型の変調をなすマトリックスアドレッシングを有する表示器又は装置のいかなる型に対しても等しく適用可能である。この装置のセル又はライン入力及びカラム入力を有するマトリックス配列はここではセルという用語はライン及びカラムの交点での要素の広い意味に用いているが、プラズマパネル又はマイクロミラー回路のマイクロミラーのセルでありうる。光を直接出射する代わりにこれらのマイクロミラーは選択されたときに点毎に受けた光を反射する（セルはマイクロミラーに対応する）。選択に関するこれらのアドレッシングは本出願に記載されたようなプラズマパネルのセルのアドレッシングと同じである。
【００４６】
【発明の効果】
本発明の利点はコンターリング欠陥は除去されない場合でも強力に減少する。本発明の方法は実施することが簡単で、高価ではなく、いかなる型のプラズマパネルにも適用可能である。
本発明の特定の実施例によれば一ラインから他へのコピーの誤差は著しく減少し、輝度過剰欠陥はまた減少する。
【図面の簡単な説明】
【図１】  コンターリング現象を説明するタイミング図である。
【図２】ラインで励起されたセルのパーセンテージの関数としてラインドライバにより復元された輝度レベルを示す。
【図３】本発明によるプラズマパネルの制御回路の概略を示す。
【符号の説明】
１、２、３、４  曲線
６  プラズマパネル
７  ビデオ処理回路
８  メモリ
９  ビデオメモリ
１０、１２  回路
１１  スキャン発生器
Ｅ  入力
【図１】
0004785214.tif 000005
【図２】
0004785214.tif 000006
【図３】
0004785214.tif 000007